【手続補正書】
【提出日】令和2年12月17日(2020.12.17)
【手続補正１】
【補正対象書類名】特許請求の範囲
【補正対象項目名】全文
【補正方法】変更
【補正の内容】
【特許請求の範囲】
【請求項１】
画像のピクセルのインデックスのリストを整数の行列に符号化する方法であって、前記行列のサイズは前記画像のサイズと同じであり、本方法は、前記インデックスのリストに属する第１のインデックスに対して、
整数を前記行列の第１のインデックスに符号化することであって、前記整数は第２のインデックスであり、又は、前記整数は第２のインデックスと前記第１のインデックスとの間の差分であり、前記第２のインデックスは前記リスト中の前記第１のインデックスの次である、符号化することを含む、
方法。
【請求項２】
前記インデックスのリストは、昇順または降順でソートされる、
請求項１に記載の方法。
【請求項３】
画像ロスレス圧縮法で前記行列を圧縮することをさらに含む、
請求項１又は２に記載の方法。
【請求項４】
前記行列に関連する画像を宛先媒体に送信することをさらに含む、
請求項１ないし３いずれか一項に記載の方法。
【請求項５】
整数の行列から画像のピクセルのインデックスのリストを復号する方法であって、前記行列のサイズは前記画像のサイズと同じであり、本方法は、前記インデックスのリストに属する第１のインデックスに対して、
第２のインデックスを計算することであって、前記第２のインデックスは前記行列の前記第１のインデックスにある整数であり、又は、前記第２のインデックスは前記第１のインデックスと前記行列の前記第１のインデックスにある前記整数との和である、計算することと、
前記第２のインデックスを、前記リスト中の第１のインデックスに次ぐように設定することとを含む、
方法。
【請求項６】
前記リストは生成され、前記第１のインデックスで初期化される、
請求項５に記載の方法。
【請求項７】
画像ロスレス圧縮法で前記行列を解凍することを最初に含む、
請求項５又は６に記載の方法。
【請求項８】
前記行列に関連する画像を宛先媒体から受信することを最初に含む、
請求項５ないし７いずれか一項に記載の方法。
【請求項９】
画像のピクセルのインデックスのリストを整数の行列に符号化する装置であって、前記行列のサイズは前記画像のサイズと同じであり、本装置は、少なくとも１つのプロセッサに付随するメモリを有し、該プロセッサは前記インデックスのリストに属する第１のインデックスに対して、
整数を前記行列の第１のインデックスに符号化するように構成され、前記整数は第２のインデックスであり、又は、前記整数は第２のインデックスと前記第１のインデックスとの間の差分であり、前記第２のインデックスは前記リスト中の前記第１のインデックスの次である、
装置。
【請求項１０】
前記プロセッサは、前記インデックスのリストを、昇順または降順でソートするように構成される、
請求項９に記載の装置。
【請求項１１】
前記プロセッサは、前記行列を、画像ロスレス圧縮法で圧縮するよう構成される、
請求項９又は１０に記載の装置。
【請求項１２】
整数の行列から画像のピクセルのインデックスのリストを復号する装置であって、前記行列のサイズは前記画像のサイズと同じであり、本装置は、少なくとも１つのプロセッサに付随するメモリを有し、該プロセッサは前記インデックスのリストに属する第１のインデックスに対して、
第２のインデックスを計算し、ここで、前記第２のインデックスは前記行列の前記第１のインデックスにある整数であり、又は、前記第２のインデックスは前記第１のインデックスと前記行列の前記第１のインデックスにある前記整数との和であって、
前記第２のインデックスを、前記リスト中の第１のインデックスに次ぐように設定するように構成される、
装置。
【請求項１３】
前記プロセッサは、前記リストを生成し、前記第１のインデックスで初期化するように構成される、
請求項１２に記載の装置。
【請求項１４】
画像ロスレス圧縮法で前記行列を解凍することをさらに含む、
請求項１２又は１３に記載の装置。
【請求項１５】
前記行列に関連する画像を宛先媒体から受信することを最初に含む、
請求項１２ないし１４いずれか一項に記載の装置。
【手続補正２】
【補正対象書類名】明細書
【補正対象項目名】００５３
【補正方法】変更
【補正の内容】
【００５３】
実施形態を説明した。しかし、言うまでもなく様々な修正を行うことができる。例えば、別の実施形態の要素を組み合わせ、補充し、修正し、または削除して、他の実施形態を形成してもよい。また、当業者には言うまでもないが、開示した構成やプロセスを他の構成やプロセスで置き換えてもよく、その結果の実施形態が少なくとも実質的に同じ機能を果たし、少なくとも実質的に同じように、開示した実施形態と実質的に同じ結果を達成する。したがって、本願ではこれらの実施形態及びその他の実施形態を想定している。
（付記１）
画像のピクセルリストを整数行列に符号化する方法であって、前記行列のサイズは前記画像のサイズと同じであり、本方法は、前記画像中の第１のインデックスにある、前記ピクセルリストのリストに属する第１のピクセルに対して、
前記画像中の第２のインデックスにある、前記リスト中の前記第１のピクセルの次の第２のピクセルを取得することと、
前記第１のインデックス及び／又は前記第２のインデックスに関する整数を前記行列の第１のインデックスに符号化することとを含む、
方法。
（付記２）
前記ピクセルリストは、前記ピクセルリストのピクセルインデックスの昇順または降順でソートされる、
付記１に記載の方法。
（付記３）
符号化される整数は第２のインデックスである、
付記１または２に記載の方法。
（付記４）
符号化される整数は第２のインデックスと第１のインデックスとの間の差分である、
付記１または２に記載の方法。
（付記５）
画像ロスレス圧縮法で前記行列を圧縮することをさらに含む、
付記１ないし４いずれか一つに記載の方法。
（付記６）
前記行列に関連する画像を宛先媒体に送信することをさらに含む、
付記１ないし５いずれか一つに記載の方法。
（付記７）
整数行列から画像のピクセルリストを復号する方法であって、前記行列のサイズは前記画像のサイズと同じであり、本方法は、前記画像中の第１のインデックスにある、前記ピクセルリストのリストに属する第１のピクセルに対して、
前記第１のインデックス及び／又は前記画像中の前記第１のインデックスにある整数に従って第２のインデックスを計算することと、
前記画像中の前記第２のインデックスにある第２のピクセルを、前記リスト中の第１のピクセルに次ぐピクセルとして設定することとを含む、
方法。
（付記８）
前記第２のインデックスは前記行列中の第１のインデックスにある整数である、
付記７に記載の方法。
（付記９）
前記第２のインデックスは、前記第１のインデックスと、前記行列中の前記第１のインデックスにある整数との和である、
付記７に記載の方法。
（付記１０）
前記リストは生成され、前記第１のピクセルで初期化される、
付記７に記載の方法。
（付記１１）
画像ロスレス圧縮法で前記行列を解凍することを最初に含む、
付記７ないし１０いずれか一つに記載の方法。
（付記１２）
前記行列に関連する画像を宛先媒体から受信することを最初に含む、
付記７ないし１１いずれか一つに記載の方法。
（付記１３）
画像のピクセルリストを整数行列に符号化する装置であって、前記行列のサイズは前記画像のサイズと同じであり、本装置は、少なくとも１つのプロセッサに付随するメモリを有し、該プロセッサは、前記画像中の第１のインデックスにある、前記ピクセルリストのリストに属する第１のピクセルに対して、
前記画像中の第２のインデックスにある、前記リスト中の前記第１のピクセルの次の第２のピクセルを取得し、
前記第１のインデックス及び／又は前記第２のインデックスに関する整数を前記行列の第１のインデックスに符号化するように構成される、
装置。
（付記１４）
前記プロセッサは、前記ピクセルリストを、前記ピクセルリストのピクセルインデックスの昇順または降順でソートするように構成される、
付記１３に記載の装置。
（付記１５）
符号化される整数は第２のインデックスである、
付記１３または１４に記載の装置。
（付記１６）
符号化される整数は第２のインデックスと第１のインデックスとの間の差分である、
付記１３または１４に記載の装置。
（付記１７）
前記プロセッサは、前記行列を、画像ロスレス圧縮法で圧縮するよう構成される、
付記１３ないし１６いずれか一つに記載の装置。
（付記１８）
整数行列から画像のピクセルリストを復号する装置であって、前記行列のサイズは前記画像のサイズと同じであり、本装置は、少なくとも１つのプロセッサに付随するメモリを有し、該プロセッサは、前記画像中の第１のインデックスにある、前記ピクセルリストのリストに属する第１のピクセルに対して、
前記第１のインデックス及び／又は前記画像中の前記第１のインデックスにある整数に従って第２のインデックスを計算し、
前記画像中の前記第２のインデックスにある第２のピクセルを、前記リスト中の第１のピクセルに次ぐピクセルとして設定するように構成される、
装置。
（付記１９）
前記第２のインデックスは前記行列中の第１のインデックスにある整数である、
付記１８に記載の装置。
（付記２０）
前記第２のインデックスは、前記第１のインデックスと、前記行列中の前記第１のインデックスにある整数との和である、
付記１８に記載の装置。
（付記２１）
前記プロセッサは、前記リストを生成し、前記第１のピクセルで初期化するように構成される、
付記１８に記載の装置。
（付記２２）
画像ロスレス圧縮法で前記行列を解凍することをさらに含む、
付記１８ないし２１いずれか一つに記載の装置。
（付記２３）
前記行列に関連する画像を宛先媒体から受信することを最初に含む、
付記１８ないし２２いずれか一つに記載の装置。